(57)【要約】      （修正有）【課題】  浴室の壁と洗面室の壁の空間に湯水の配管が通っている場合において、浴室にも洗面室にも使えるコスト安な水栓を提供する。【解決手段】  区画３と区画４とを仕切る二つの壁３ａ，４ａ間に形成されている空間５内に設置した湯配管１および水配管２に湯側パイプ６および水側パイプ７をそれぞれ接続するとともに二つの壁３ａ，４ａにわたり架設する、各パイプ６，７にそれぞれ止水または流量調整用の操作部材８，９と、弁体１０，１１とを設け、これらパイプ６，７から湯および／または水を導入する混合室Ｍを有するとともに、混合室Ｍから導出される混合水または水を流量調整して二つの区画側のうちいずれかにのみ供給する機能と、二つの区画側へ混合水または水が供給されないよう同時に止水を行う機能とを有する水栓本体１６を設け、さらにこの水栓本体１６の一端１６ａおよび他端１６ｂに止水または流量調整用の操作部材１７，１８を回動自在に設ける。【選択図】  図１
2006057353.tif 000002
【特許請求の範囲】
【請求項１】
一方の区画と他方の区画とを仕切る二つの壁間に形成されている空間内に設置した配管に水栓本体が接続されており、この水栓本体が二つの壁にわたり架設されており、さらに、前記水栓本体は、湯および／または水を導入する一つの室を有するとともに、この室から導出される混合水または水を流量調整して二つの区画側のうちいずれかの区画側にのみ混合水または水を供給する機能と、前記室からの混合水または水の導出を停止して二つの区画側へ混合水または水が供給されないよう同時に止水を行う機能を有することを特徴とする水栓。
【請求項２】
一方の区画と他方の区画とを仕切る二つの壁間に形成されている空間内に設置した湯配管および水配管に、湯側パイプおよび水側パイプがそれぞれ接続されており、これらパイプが二つの壁にわたり架設されており、各パイプにそれぞれ止水または流量調整用の操作部材と、止水または流量調整のための弁体とを設け、これらパイプ内で流量調整された湯および／または水を導入する混合室を有するとともに、混合室から導出される混合水または水を流量調整して二つの区画側のうちいずれかの区画側にのみ混合水または水を供給する機能と、混合室からの混合水または水の導出を停止して二つの区画側へ混合水または水が供給されないよう同時に止水を行う機能を有する水栓本体を設け、この水栓本体の一端および他端に止水または流量調整用の操作部材をそれぞれ回動自在に設けた水栓であって、水栓本体の一端および他端に設けた前記止水または流量調整用の操作部材がそれぞれ一方の区画と他方の区画に配置された状態で、水栓本体が前記二つの壁にわたり架設されており、前記混合室が隔壁を介して二つの混合室部分に分離されており、一方の混合室部分が第１弁体を介して一方の区画側からの供給流路に連通し、また、他方の混合室部分が第２弁体を介して他方の区画側からの供給流路に連通するよう構成されていることを特徴とする水栓。
【請求項３】
前記各パイプと各混合室部分を連通する連通管を一方の区画側と他方の区画側とに設ける一方、水栓本体の一端および他端に設けた前記止水または流量調整用の操作部材が水栓本体内に設けた一つの栓棒を介して同軸上に連動連結されており、これら止水または流量調整用の操作部材およびそのまわりには、それぞれ、一方の区画側で使用状態になっていることを他方の区画側に知らせるための指標と、二つの区画側で止水状態になっていることを知らせるための指標とが設けられている請求項２に記載の水栓。
【発明の詳細な説明】
【技術分野】
【０００１】
この発明は、水栓に関するものである。
【背景技術】
【０００２】
近年、いわゆるワンルームマンションの増加に伴い水栓分野でもその対応策が講じられている。ワンルームマンションの一つの例として、浴室の壁と洗面室の壁が空間を介して対向配置されている場合がある。この空間には、湯水の配管が通っている。
【発明の開示】
【発明が解決しようとする課題】
【０００３】
しかし、湯水混合水栓を浴室と洗面室に別々に設けている従来の施工を上記構成のワンルームマンションに採用するにはコスト高である。
【０００４】
この発明は、上述の事柄に留意してなされたもので、その目的は、例えば浴室の壁と洗面室の壁が空間を介して対向配置されており、その空間に湯水の配管が通っている場合において、浴室にも洗面室にも使えるコスト安な水栓を提供することである。
【課題を解決するための手段】
【０００５】
上記目的を達成するために、この発明の水栓は、一方の区画と他方の区画とを仕切る二つの壁間に形成されている空間内に設置した配管に水栓本体が接続されており、この水栓本体が二つの壁にわたり架設されており、さらに、前記水栓本体は、湯および／または水を導入する一つの室を有するとともに、この室から導出される混合水または水を流量調整して二つの区画側のうちいずれかの区画側にのみ混合水または水を供給する機能と、前記室からの混合水または水の導出を停止して二つの区画側へ混合水または水が供給されないよう同時に止水を行う機能を有することを特徴とする（請求項１）。
【０００６】
また、この発明の水栓は、一方の区画と他方の区画とを仕切る二つの壁間に形成されている空間内に設置した湯配管および水配管に、湯側パイプおよび水側パイプがそれぞれ接続されており、これらパイプが二つの壁にわたり架設されており、各パイプにそれぞれ止水または流量調整用の操作部材と、止水または流量調整のための弁体とを設け、これらパイプ内で流量調整された湯および／または水を導入する混合室を有するとともに、混合室から導出される混合水または水を流量調整して二つの区画側のうちいずれかの区画側にのみ混合水または水を供給する機能と、混合室からの混合水または水の導出を停止して二つの区画側へ混合水または水が供給されないよう同時に止水を行う機能を有する水栓本体を設け、この水栓本体の一端および他端に止水または流量調整用の操作部材をそれぞれ回動自在に設けた水栓であって、水栓本体の一端および他端に設けた前記止水または流量調整用の操作部材がそれぞれ一方の区画と他方の区画に配置された状態で、水栓本体が前記二つの壁にわたり架設されており、前記混合室が隔壁を介して二つの混合室部分に分離されており、一方の混合室部分が第１弁体を介して一方の区画側からの供給流路に連通し、また、他方の混合室部分が第２弁体を介して他方の区画側からの供給流路に連通するよう構成されていることを特徴とする水栓を提供する（請求項２）。
この場合、前記各パイプと各混合室部分を連通する連通管を一方の区画側と他方の区画側とに設ける一方、湯水栓本体の一端および他端に設けた前記止水または流量調整用の操作部材が水栓本体内に設けた一つの栓棒を介して同軸上に連動連結されており、これら止水または流量調整用の操作部材およびそのまわりには、それぞれ、一方の区画側で使用状態になっていることを他方の区画側に知らせるための指標と、二つの区画側で止水状態になっていることを知らせるための指標とを設けるのが好ましい（請求項３）。
【発明の効果】
【０００７】
この発明の水栓（請求項１）では、一方の区画と他方の区画とを仕切る二つの壁間に形成されている空間内に設置した配管に水栓本体が接続されており、この水栓本体が二つの壁にわたり架設されており、さらに、前記水栓本体は、湯および／または水を導入する一つの室を有するとともに、この室から導出される混合水または水を流量調整して二つの区画側のうちいずれかの区画側にのみ混合水または水を供給する機能と、前記室からの混合水または水の導出を停止して二つの区画側へ混合水または水が供給されないよう同時に止水を行う機能を有するので、例えば、浴室にも洗面室にも使え、従来に比べて設備工事を軽減できるコスト安な水栓を提供することができる。
【０００８】
この発明の水栓（請求項２）では、一端および他端に止水または流量調整用の操作部材がそれぞれ回動自在に設けられた一つの水栓本体、湯側パイプおよび水側パイプが一方の区画と他方の区画の二つの壁にわたり架設されており、各パイプに設けた止水または流量調整用の操作部材を操作して例えば湯、水を水栓本体に導入し、水栓本体の一端および他端に設けた止水または流量調整用の操作部材を回動操作することにより湯、水が混合された混合水を区画側へ供給できる構成を採用しているので、例えば、浴室にも洗面室にも使え、従来に比べて設備工事を軽減できるコスト安な水栓を提供することができる。
【０００９】
また、この発明の水栓（請求項３）では、上記効果に加えて、前記各パイプと各混合室部分を連通する連通管を一方の区画側と他方の区画側とに設ける一方、水栓本体の一端および他端に設けた前記止水または流量調整用の操作部材が水栓本体内に設けた一つの栓棒を介して同軸上に連動連結されており、これら止水または流量調整用の操作部材およびそのまわりには、それぞれ、一方の区画側で使用状態になっていることを他方の区画側に知らせるための指標と、二つの区画側で止水状態になっていることを知らせるための指標とが設けられているので、一方の区画側で使用中であるときに他方の区画側の使用者に他方の区画側が使えないことを認識させることができる一方、使用可能な状態になっていることを確認させることができ、使用勝手がよい。
【発明を実施するための最良の形態】
【００１０】
以下にこの発明の実施形態について説明する。なお、それによって、この発明は限定されるものではない。
図１〜図４は、この発明の第１の実施形態を示す。    
図１〜図４において、１および２はそれぞれ一方の区画３と他方の区画４とを仕切る二つの壁３ａ，４ａ間に形成されている空間５内に設置した湯配管および水配管である。湯配管１には、止水または流量調整のための湯側パイプ６が接続されており、水配管２には、止水または流量調整のための水側パイプ７が接続されている。これらパイプ６，７は二つの壁３ａ，４ａにわたり架設されている。パイプ６の一端６ａと他端６ｂにはそれぞれ止水または流量調整用の操作部材８，９とこれらに連動する止水または流量調整のためのセラミック製の弁体１０，１１とが設けられている。同様に、パイプ７の一端７ａと他端７ｂにはそれぞれ止水または流量調整用の操作部材１２，１３とこれらに連動する止水または流量調整のためのセラミック製の弁体１４，１５とが設けられている。そして、前記操作部材８，１２は一方の区画３に設けられており、両部材８，１２で一方の区画側に供給される混合水の温度調整を行うことができる。また、前記操作部材９，１３は他方の区画４に設けられており、両部材９，１３で他方の区画側に供給される混合水の温度調整を行うことができる。１６は、一つの筒状の湯水混合水栓本体で、二つの壁３ａ，４ａにわたり架設されている。湯水混合水栓本体１６は、パイプ６，７内で流量調整された湯および／または水を導入する混合室Ｍを有するとともに、混合室Ｍから導出される混合水または水を流量調整して二つの区画３，４側のうちいずれかの区画側３または４にのみ混合水または水を供給する機能と、混合室Ｍからの混合水または水の導出を停止して二つの区画３，４側へ混合水または水が供給されないよう同時に止水を行う機能を有する。この湯水混合水栓本体１６の一端１６ａおよび他端１６ｂに止水または流量調整用の操作部材１７，１８をそれぞれ回動自在に設けている。
【００１１】
前記混合室Ｍは、止水または流量調整用の操作部材１７，１８がそれぞれ区画（例えば洗面室）３と区画（例えば浴室）４に配置された状態で、隔壁１９を介して二つの混合室部分ｍ，ｎに分離されており、洗面室側の混合室部分ｍが第１弁体２０を介して洗面室側からの供給流路ｉに連通し吐水管３１に至るよう構成されている。また、浴室側の混合室部分ｎが第２弁体２１を介して浴室側からの供給流路ｊに連通しシャワホースの上流側に設けた継手が接続可能なシャワ用継手３２に至るよう構成されている。
【００１２】
さらに、パイプ６と混合室部分ｍを連通する連通管２２と、パイプ７と混合室部分ｍを連通する連通管２３を洗面室側に設けてある。また、パイプ６と混合室部分ｎを連通する連通管２４と、パイプ７と混合室部分ｎを連通する連通管２５を浴室側に設けてある。２６は、湯水混合水栓本体１６内に設けた一つの栓棒である。そして、湯水混合水栓本体１６の一端１６ａおよび他端１６ｂに設けた止水または流量調整用の操作部材１７，１８が栓棒２６を介して同軸上に連動連結されている。
そして、前記止水または流量調整用の操作部材１７，１８およびそのまわりには、それぞれ、洗面室側で湯水混合水栓が使用状態になっていることを浴室側に知らせるための指標と、洗面室側と浴室側で湯水混合水栓が同時に止水状態になっていることを知らせるための指標とが設けられている。
【００１３】
以下指標について説明する。図４（Ａ）は、洗面室側に設けた指標を示す。図４（Ｂ）は、浴室側に設けた指標を示す。図４（Ａ）において、指標は、湯水混合水栓本体１６の一端１６ａに設けた止水または流量調整用の操作部材１７の周面から外側に突出状態で設けたインジケータ２７と、操作部材１７のまわりに形成された文字板（図１，２には図示せず）２８よりなる。同様に、図４（Ｂ）において、指標は、湯水混合水栓本体１６の他端１６ｂに設けた操作部材１８の周面から外側に突出状態で設けたインジケータ２９と、操作部材１８のまわりに形成された文字板（図１，２には図示せず）３０よりなる。
（１）図４（Ａ）、図４（Ｂ）は洗面室側が使用状態になっている場合を示している。すなわち、操作部材１７の回動操作により、第１弁体２０は開状態になる一方、第２弁体２１は閉状態となっている。この場合、図４（Ａ）に戻って、吐水量の調節は文字板２８に描画された例えば〃８〜１０〃の範囲で行うよう設定されている。つまり、操作部材１７の回動操作によりインジケータ２７が文字板２８の〃８〃を示しているときは吐水量はゼロの状態で、さらに操作部材１７を時計方向に回動操作させると徐々に吐水し始め、文字板２８の〃１０〃の位置にインジケータ２７がきたときに最大吐水量となるよう構成される。そして、洗面室側の操作部材１７と浴室側の操作部材１８は同軸上で栓棒２６を介して連動連結しており、一体に回動するので、インジケータ２７が  文字板２８の〃１０〃の位置を示すと、浴室側のインジケータ２９は文字板３０の〃２〃を示すよう構成される。
（２）逆に、浴室側を使用する場合、操作部材１８の回動操作により、第２弁体２１は開状態になり、第１弁体２０は閉状態となっている。つまり、操作部材１８の回動操作によりインジケータ２９が文字板３０の〃８〃を示しているときは吐水量はゼロの状態で、さらに操作部材１８を時計方向に回動操作させると徐々に吐水し始め、文字板３０の〃１０〃の位置にインジケータ２９がきたときに最大吐水量となるよう構成される。  
（３）そして、文字板２８，３０の〃２〜８〃の範囲にそれぞれインジケータ２７，２９が来たときは第１弁体２０および第２弁体２１は同時に閉状態となるよう構成されており、洗面室側と浴室側が同時に止水状態になっている。
（４）また、操作部材１７，１８のインジケータ２７，２９はいずれも文字板２８，３０の時計方向における〃１０〜２〃の範囲は回動せずに、時計方向における〃２〜１０〃の範囲を回動するように構成されている。すなわち、操作部材１７，１８は時計方向および反時計方向いずれにも回動するよう構成されるがその回動範囲はインジケータ２７，２９が回動可能な時計方向における〃２〜１０〃の範囲に限られる。
【００１４】
なお、図１において、３４は壁３ａの前面Ａから突出している湯水混合水栓本体１６の一端１６ａを覆うカバーである。３５は壁３ａの前面Ａから突出しているパイプ６の一端を覆うカバーである。３６は湯配管１とパイプ６を接続するための継手部である。同様の継手部が水配管２の側にも設けてある。また、連通管２４，２５は空間５内に設置されるが、連通管２２，２３は洗面室３内に露出している。
【００１５】
図５は、湯配管１と継手部３６の接続部分が位置するように、壁３ａにおけるパイプ６の設置位置直下に切欠４０を設け、接続部分から水漏れが発生した場合にカバー３５を外すだけで目視できるようにし、メンテナンスを向上させたこの発明の第２の実施形態を示す。図５において、図１〜図４に示した符号と同一のものは同一または相当物である。
比較例として図６を示す。図６は湯水混合水栓４０の通常の壁４１への設置形態を示している。この場合、例えば湯配管４２と混合水栓本体４３に接続される湯入口導入管４４とを接続するための継手部４５において、継手部４５と湯配管４２の接続部分から水漏れが発生した場合、壁４１を取り壊す必要が生じるが、前記第２の実施形態では、カバー３５を外すだけで修理、点検できる利点を有する。
【図面の簡単な説明】
【００１６】
【図１】この発明の第１の実施形態を示し、図２のＡ−Ａ線及びＢ−Ｂ線断面図である。
【図２】上記実施形態を示す横断面図である。
【図３】上記実施形態における洗面室側に設置した三つの流量調整操作部材の位置関係を示す構成説明図である。
【図４】（Ａ）は、洗面室側に設けた指標を示す正面図である。（Ｂ）は、浴室側に設けた指標を示す正面図である。
【図５】この発明の第２の実施形態を示す縦断面図である。
【図６】比較例を示す縦断面図である。
【符号の説明】
【００１７】
１              湯配管
２              水配管
３              一方の区画
４              他方の区画
３ａ，４ａ      二つの壁
５              空間
６              湯側パイプ
８，９          止水または流量調整用の操作部材
１０，１１      弁体
１６            湯水混合水栓本体
１６ａ          一端
１６ｂ          他端
１７，１８      止水または流量調整用の操作部材
１９            隔壁
２０            第１弁体
２１            第２弁体
Ｍ              混合室
ｍ，ｎ          混合室部分
ｉ              供給流路
ｊ              供給流路
【図１】
2006057353.tif 000003
【図２】
2006057353.tif 000004
【図３】
2006057353.tif 000005
【図４】
2006057353.tif 000006
【図５】
2006057353.tif 000007
【図６】
2006057353.tif 000008